(57)【要約】【課題】部品点数を増加させることなく、しかも、簡単な操作で累積使用時間を正確に把握することができる機能を有した投写型画像表示装置を提供する。【解決手段】画像を投射させるためのランプの累積点灯時間を発光素子の表示パターンによって表示可能な機能を有する投写型画像表示装置であって、累積点灯時間の１桁目〜ｎ桁目（ｎは自然数）の各桁位置のうちの任意の桁位置を指定する累積点灯時間の桁位置指定キーと、桁位置指定キーにより累積点灯時間の桁位置が指定されると、当該指定された桁位置に対応する前記累積点灯時間の数値に対して設定された表示パターンとなるように発光素子を表示制御する制御部４００とを有する。【選択図】図３
2010127957.tif 000002
【特許請求の範囲】
【請求項１】
画像投写用のランプの累積点灯時間を発光素子の表示パターンによって表示する機能を有する投写型画像表示装置であって、
前記累積点灯時間の１桁目〜ｎ桁目（ｎは自然数）の各桁位置のうちの任意の桁位置を指定する累積点灯時間の桁位置指定キーと、
前記桁位置指定キーにより前記累積点灯時間の桁位置が指定されると、当該指定された桁位置における前記累積点灯時間の数値に対応した表示パターンとなるように前記発光素子を表示制御する制御部と、
を有することを特徴とする投写型画像表示装置。
【請求項２】
請求項１に記載の投写型画像表示装置において、
前記制御部は、前記ランプに異常が発生すると、前記累積点灯時間を発光素子の表示パターンによって表示するための累積点灯時間表示モードの設定を行うことを特徴とする投写型画像表示装置。
【請求項３】
請求項２に記載の投写型画像表示装置において、
前記桁位置指定キーは、前記投写型画像表示装置がもともと有する機能設定キーであって、前記制御部が累積点灯時間表示モードの設定を行ったときは、前記制御部は、前記機能設定キーを前記桁位置指定キーとして機能させることを特徴とする投写型画像表示装置。
【請求項４】
請求項２又は３に記載の投写型画像表示装置において、
前記発光素子は、前記投写型画像表示装置がもともと有する機能表示用の発光素子であって、前記制御部が累積点灯時間表示モードを設定したときは、前記制御部は、前記機能表示用の発光素子を前記累積点灯時間表示用の発光素子として機能させることを特徴とする投写型画像表示装置。
【請求項５】
請求項１〜４のいずれかに記載の投写型画像表示装置において、
前記指定された桁位置における累積点灯時間の数値は、０〜９のいずれかであって、
前記表示パターンは、前記指定された桁位置における累積点灯時間の数値が０である場合には、前記発光素子が消灯状態又は点灯状態を保持する表示パターンであり、前記指定された桁位置における累積点灯時間の数値が１〜９のいずれかである場合には、前記発光素子が当該数値に対応した回数だけ断続的に点灯する表示パターンであることを特徴とする投写型画像表示装置。
【請求項６】
請求項５に記載の投写型画像表示装置において、
前記断続的に点灯する表示パターンは、所定時間間隔をおいて複数回繰り返すことを特徴とする投写型画像表示装置。
【請求項７】
画像投写用のランプの累積点灯時間を発光素子の表示パターンによって表示する機能を有する投写型画像表示装置におけるランプ累積点灯時間表示方法であって、
前記累積点灯時間の１桁目〜ｎ桁目（ｎは自然数）の各桁位置のうちの任意の桁位置を指定する累積点灯時間の桁位置指定キーにより前記累積点灯時間の桁位置が指定されると、当該指定された桁位置における前記累積点灯時間の数値に対応した表示パターンとなるように前記発光素子を表示制御することを特徴とするランプ累積点灯時間表示方法。
【発明の詳細な説明】
【技術分野】
【０００１】
本発明は、画像投写用のランプの累積点灯時間を表示する機能を有する投写型画像表示装置に関する。
【背景技術】
【０００２】
プロジェクタやプロジェクションテレビジョン（これらを総称して投写型画像表示装置という。）においては、画像投写用のランプに異常（例えば、ランプの球切れによるランプ不点灯など）が発生する場合がある。ランプ異常となる原因としては、ランプが寿命に達した場合の他に、ランプに何らかの欠陥がある場合、ランプに電源を供給する電源回路に異常がある場合などが考えられる。
【０００３】
ランプ異常の原因を知るためには、ランプ異常となった時点のランプの累積点灯時間を知る必要がある。ランプ異常となった時点のランプの累積点灯時間を知ることができれば、ランプ異常の原因がランプが寿命に達したことによるものか、それ以外によるものかを判断することができる。
【０００４】
このようなランプの累積点灯時間をユーザに表示する技術は、従来から種々提案されている（例えば、特許文献１及び特許文献２参照。）。
【０００５】
特許文献１に開示された技術（第１従来技術という。）は、ランプの点灯時またはランプの消灯時の少なくとも一方において当該ランプの累積点灯時間をスクリーン上に投写して表示するというものである。
【０００６】
また、特許文献２に開示された技術（第２従来技術という。）は、ランプ異常が発生した場合に、ランプの累積点灯時間を多数の発光素子（発光ダイオード：ＬＥＤ）で構成される発光素子群を所定の表示パターンで表示するというものである。
【０００７】
【特許文献１】特開２００１−３５６４１６号公報
【特許文献２】特開２００１−１００６９１号公報
【発明の開示】
【発明が解決しようとする課題】
【０００８】
上記第１従来技術は、プロジェクタの使用時などにその都度、累積点灯時間を表示することによって、ユーザにランプの交換時期を示唆し、それによって、投写中にランプ不点灯となるのを未然に防止することを目的としている。
【０００９】
しかしながら、第１従来技術は、ランプの点灯時又は消灯時ごとに累積点灯時間の表示を行うので、ユーザは累積点灯時間の表示をあまり意識しなくなってしまい、結局は、ランプ不点灯状態を招いてしまう可能性がある。
【００１０】
また、第１従来技術は、スクリーン上に累積点灯時間が表示されるので、ランプが不点灯となった場合は、累積点灯時間を表示させることができない。累積点灯時間を確認するには、ランプを交換すればよいと考えられるが、第１従来技術は、ランプを交換すると、累積点灯時間がリセットされてしまうので、ランプ交換後においては、ランプ不点灯となった時点のランプの累積点灯時間を知ることはできない。このため、第１従来技術は、ランプ不点灯の原因がランプが寿命に達したことによるものか、それ以外によるものかを判断することができないという問題がある。
【００１１】
一方、第２従来技術は、ランプ異常が発生した場合にランプの累積点灯時間を発光素子群の表示パターンによってユーザに知らせるものであるため、ランプ異常となった時点のランプ累積使用時間を知ることができる。それによって、ランプ不点灯の原因が、ランプが寿命に達したことによるものか、それ以外によるものかを判断することができる。
【００１２】
しかしながら、第２従来技術は、多数のＬＥＤ（第２従来技術においては１０個のＬＥＤ）を設ける必要があり、部品点数が増え、また、これらの部品を設けるためのスペースを確保する必要がある。また、多数のＬＥＤを設けることはプロジェクタのコストアップの要因ともなる。
【００１３】
また、第２従来技術は、累積点灯時間の各桁位置ごとに各桁位置における「０」〜「９」の数値に対応する数のＬＥＤを順次点灯させて行くものであるため、注意深く見ていないと、各桁位置において何個のＬＥＤが点灯したかが把握できなくなるという問題がある。
【００１４】
例えば、累積点灯時間が「１９８７時間」の場合、まず、「１０００」の位（４桁目）の数値「１」を表示させるために、１個のＬＥＤを１秒間表示させ、少し間をおいて、今度は、「１００」の位（３桁面）の数値「９」を表示させるために、９個のＬＥＤを１秒間表示させ、少し間をおいて、「１０」の位（２桁目）の数値「８」を表示させるために、８個のＬＥＤを１秒間表示させ、少し間をおいて、今度は、「１」の位（１桁目）の数値「７」を表示させるために、７つのＬＥＤを１秒間表示させるというような表示制御を行っている。
【００１５】
このような表示制御では、注意深くＬＥＤの表示パターンを見ていないと、桁位置と点灯したＬＥＤの個数との関係が判らなくなくなってしまう場合もあり、結局、正確な累積時間を把握できないということにもなる。
【００１６】
そこで本発明は、部品点数を増加させることなく、しかも、簡単な操作で累積使用時間を正確に知ることができる機能を有した投写型画像表示装置を提供することを目的とする。
【課題を解決するための手段】
【００１７】
本発明の投写画像表示装置は、画像投写用のランプの累積点灯時間を発光素子の表示パターンによって表示する機能を有する投写型画像表示装置であって、前記累積点灯時間の１桁目〜ｎ桁目（ｎは自然数）の各桁位置のうちの任意の桁位置を指定する累積点灯時間の桁位置指定キーと、前記桁位置指定キーにより前記累積点灯時間の桁位置が指定されると、当該指定された桁位置における前記累積点灯時間の数値に対応した表示パターンとなるように前記発光素子を表示制御する制御部とを有することを特徴とする。
【００１８】
本発明の投写画像表示装置は、ユーザにより桁位置が指定されると、当該指定された桁位置における累積点灯時間の数値に対応した表示パターンで前記発光素子を点灯・消灯させるようにしている。したがって、本発明の投写画像表示装置においては、ユーザは桁位置指定キーを押した状態で、当該桁位置における累積点灯時間の数値を確認することができるので、各桁位置ごとの累積点灯時間の数値を把握しやすくなる。これにより、本発明の投写画像表示装置においては、累積点灯時間を簡単な操作で正確に知ることができる。
【００１９】
本発明の投写画像表示装置においては、前記制御部は、前記ランプに異常が発生すると、前記累積点灯時間を発光素子の表示パターンによって表示するための累積点灯時間表示モードの設定を行うことが好ましい。
【００２０】
このように、ランプ異常が発生した場合に累積点灯時間表示モードの設定を行うことにより、ランプ異常として例えばランプの球切れなどによるランプ不点灯が発生した場合、ランプ不点灯となった時点の当該ランプの累積点灯時間を表示させることができる。
【００２１】
本発明の投写型画像表示装置においては、前記桁位置指定キーは、前記投写型画像表示装置がもともと有する機能設定キーであって、前記制御部が累積点灯時間表示モードの設定を行ったときは、前記制御部は、前記機能設定キーを前記桁位置指定キーとして機能させることが好ましい。
【００２２】
これにより、投写型画像表示装置がもともと有する機能設定キーを桁位置指定キーとして用いることができるので、桁位置指定を行うためのキーを新たに設ける必要がない。このため、桁位置指定を行うための部品の装着スペースを新たに確保する必要もなく、また、コストの増大も抑制できる。
【００２３】
本発明の投写型画像表示装置においては、前記発光素子は、前記投写型画像表示装置がもともと有する機能表示用の発光素子であって、前記制御部が累積点灯時間表示モードを設定したときは、前記制御部は、前記機能表示用の発光素子を前記累積点灯時間表示用の発光素子として機能させることが好ましい。
【００２４】
これにより、投写型画像表示装置がもともと有する機能表示用の特定の発光素子を桁位置指定キーとして用いることができるので、累積点灯時間を表示させるための発光素子を新たに設ける必要がない。このため、累積点灯時間を表示させるための発光素子の装着スペースを新たに確保する必要もなく、また、コストの増大も抑制できる。
【００２５】
本発明の投写型画像表示装置においては、前記指定された桁位置における累積点灯時間の数値は、０〜９のいずれかであって、前記表示パターンは、前記指定された桁位置における累積点灯時間の数値が０である場合には、前記発光素子が消灯状態又は点灯状態を保持する表示パターンであり、前記指定された桁位置における累積点灯時間の数値が１〜９のいずれかである場合には、前記発光素子が当該数値に対応した回数だけ断続的に点灯する表示パターンであることが好ましい。
【００２６】
これにより、ユーザは各桁位置における数値を容易に把握することができる。例えば、累積点灯時間が４桁で表されるとすれば、４桁の各桁位置ごとに、当該桁位置における「０」〜「９」の数値に対応して設定された表示パターンを見るだけで、当該桁位置の数値を把握することができる。
【００２７】
本発明の投写型画像表示装置においては、前記断続的に点灯する表示パターンは、所定時間間隔をおいて複数回繰り返すことが好ましい。
【００２８】
このように、断続的に点灯する表示パターンについては、その表示パターンが所定時間間隔をおいて複数回繰り返されることにより、表示パターンの見落としがなくなり、各桁位置における累積点灯時間の数値を確実に知ることができる
【００２９】
本発明のランプ累積点灯時間表示方法は、画像投写用のランプの累積点灯時間を発光素子の表示パターンによって表示する機能を有する投写型画像表示装置におけるランプ累積点灯時間表示方法であって、前記累積点灯時間の１桁目〜ｎ桁目（ｎは自然数）の各桁位置のうちの任意の桁位置を指定する累積点灯時間の桁位置指定キーにより前記累積点灯時間の桁位置が指定されると、当該指定された桁位置における前記累積点灯時間の数値に対応した表示パターンとなるように前記発光素子を表示制御することを特徴とする。
【００３０】
本発明のランプ累積点灯時間表示方法を実行することによって、前記本発明の投写型画像表示装置と同様、ユーザは桁位置指定キーを押した状態で、当該桁位置における累積点灯時間の数値を確認することができるので、各桁位置ごとの累積点灯時間の数値を把握しやすくなる。なお、本発明のランプ累積点灯時間表示方法においても、前記本発明の投写型画像表示装置が有する各特徴を有することが好ましい。
【発明を実施するための最良の形態】
【００３１】
以下、本発明の実施形態について説明する。なお、以下に示す実施形態においては、投写型画像表示装置としてはプロジェクタを例にとって説明する。
【００３２】
図１は、実施形態に係るプロジェクタＰＪの外観を概略的に示す斜視図である。実施形態に係るプロジェクタＰＪは、図１に示すように、投写レンズ１００及び操作パネル２００を有している。
【００３３】
図２は、操作パネル２００の構成例を示す図である。操作パネル２００は、図２に示すように、テレ・ワイドなどの各種の機能設定を行う機能設定キー２１１〜２１４を有する機能設定操作部２１０、電源スイッチ（ＰｏｗｅｒＳＷ）２２０、メニュー設定キー（Ｍｅｎｕ）２３０、Ｅｓｃキー２４０、Ｈｅｌｐキー２５０、電源スイッチ２２０をオンさせた場合に点灯する電源表示用発光素子（電源ＬＥＤという。）２６０、画像投写用のランプ７１０（図４参照）の異常（ランプ不点灯とする。）が発生した場合に点灯するランプエラー表示用発光素子（ランプエラーＬＥＤという）２７０、入力（Ｓｏｕｒｃｅ）切り替えキー２８０などを有している。
【００３４】
なお、機能設定操作部２１０の各機能設定キー２１１〜２１４は、プロジェクタＰＪがもともと有するものであるが、ランプ不点灯時においては、累積点灯時間の１桁目〜ｎ桁目（ｎは自然数であり、ここではｎ＝４とする。）の各桁位置のうちの任意の桁位置を指定する桁位置指定キーとして機能する。また、電源ＬＥＤ２６０もプロジェクタＰＪがもともと有するものであるが、ランプ不点灯時においては、累積点灯時間を表示する累積点灯時間表示用ＬＥＤとして機能する。なお、これら桁位置指定キーとしての機能、累積点灯時間表示用ＬＥＤとしての機能については後述する。
【００３５】
図３は、実施形態１に係るプロジェクタＰＪの機能ブロック図である。実施形態１に係るプロジェクタＰＪは、図３に示すように、リモートコントローラ（リモコンという。）５００からの指示信号を受信するリモコン信号受信部３１０、リモコン信号受信部３１０で受信されたリモコン指示信号及び操作パネル（図２参照）をユーザが操作することによって入力される操作パネル入力信号（桁指定信号を含む。）を処理する入力情報処理部３２０、商用電源（通常は１００ボルト）に接続されてプロジェクタＰＪを動作させるための電力をプロジェクタＰＪの各部に与える電源部３３０、時間（ここではランプの点灯時間とする）を計測するタイマ３４０、タイマ３４０によって計測されたランプ点灯時間を累積した累積点灯時間を記憶する累積点灯時間記憶部３５０、ランプを交換した場合などにおいて累積点灯時間記憶部３５０に記憶されている累積点灯時間をリセットする累積点灯時間リセット部３６０を有している。
【００３６】
また、実施形態１に係るプロジェクタは、外部接続機器６００からの画像データを選択する画像データ選択部３７０、画像データ選択部３７０によって選択された画像データを処理する画像データ処理部３８０、画像データ処理部３８０によって処理された画像データを画像投写部７００に出力する画像データ出力部３９０、プロジェクタ全体の制御を行う制御部４００を有している。なお、制御部４００が有する機能については後述する。
【００３７】
図４は、図３に示す画像投写部７００の構成を示す図である。画像投写部７００は、図４に示すように、赤色光、緑色光及び青色光を含む光を射出するランプ７１０と、レンズアレイ７２０と、重畳レンズ７３０と、画像形成手段７４０と、投写レンズ１００とを備える。
【００３８】
画像形成手段７４０は、ランプ７１０から射出された光を赤色光（Ｒ）と緑色光（Ｇ）及び青色光（Ｂ）とに分離する第１ダイクロイックミラー７４１と、第１ダイクロイックミラー７４１で分離された緑色光及び青色光を緑色光と青色光とに分離する第２ダイクロイックミラー７４２と、図３に示す画像データ出力部３９０から出力される画像データに基づいて赤色光、緑色光及び青色光の各色光を変調する赤色光用の光変調素子７４３Ｒ、緑色光用の光変調素子７４３Ｇ及び青色光用の光変調素子７４３Ｂと、第１ダイクロイックミラー７４１を透過した赤色光を光変調素子７４３Ｒに導く反射ミラー７４４と、第２ダイクロイックミラー７４２を透過した青色光を光変調素子７４３Ｂに導く第１リレーレンズ７４５、第１反射ミラー７４６、第２リレーレンズ７４７と、第２反射ミラー７４８と、光変調素子７４３Ｒ，７４３Ｇ，７４３Ｂでそれぞれ変調された各色光による画像光を合成してカラー画像光を形成するクロスダイクロイックプリズム７４９とを有する。
【００３９】
投写レンズ１００は、クロスダイクロイックプリズム７４９で合成されたカラー画像光を拡大してスクリーンＳＣＲに投写を行う。
【００４０】
ところで、図３に示した制御部４００は、ランプ７１０が使用（点灯）されるごとにタイマ３４０によって計測された当該ランプの点灯時間に基づいて、累積点灯時間記憶部３５０の内容を更新して、その時点における最新の累積点灯時間を累積点灯時間記憶部３５０に書き込む機能を有している。
【００４１】
また、制御部４００は、ランプ不点灯を検出すると累積点灯時間を表示するためのモード（累積点灯時間表示モードという。）を設定する機能を有している。そして、制御部４００は、累積点灯時間表示モードの設定を行うと、操作パネル２００の機能設定キー２１１〜２１４が累積点灯時間の桁位置指定キーとして機能するように制御し、また、電源ＬＥＤ２６０が累積点灯時間表示用発光素子として機能するように制御する。なお、制御部４００によって累積点灯時間表示モード設定がなされた場合には、機能設定キー２１１〜２１４は桁位置指定キー２１１〜２１４とし、電源ＬＥＤ２６０は累積点灯時間表示用ＬＥＤ２６０として説明を行う。
【００４２】
例えば、制御部４００によって累積点灯時間表示モードの設定がなされると、桁位置指定キー２１１〜２１４のうちの桁位置指定キー２１１は、累積点灯時間の「１０００」の位すなわち４桁目を指定するためのキーとして機能し、桁位置指定キー２１２は、累積点灯時間の「１００」の位すなわち３桁目を指定するためのキーとして機能し、桁位置指定キー２１３は、累積点灯時間の「１０」の位すなわち２桁目を指定するためのキーとして機能し、桁位置指定キー２１４は、累積点灯時間の「１」の位すなわち１桁目を指定するためのキーとして機能する。
【００４３】
また、制御部４００によって累積点灯時間モード設定がなされると、累積点灯時間表示用ＬＥＤ２６０は、累積点灯時間の１桁目〜４桁目の各桁位置における「０」〜「９」の各数値に対応した表示パターンによって点灯・消灯動作を行う。
【００４４】
図５は、累積点灯時間表示用ＬＥＤ２６０の「０」〜「９」に対応する表示パターンを示す図である。なお、図５において、白抜きで示す部分は、累積点灯時間表示用ＬＥＤ２６０が点灯している状態を表し、グレーで示す部分は、累積点灯時間表示用ＬＥＤ２６０が消灯している状態を表している。
【００４５】
図５（ａ）は「０」に対応した表示パターンであるが、「０」の場合は、累積点灯時間表示用ＬＥＤ２６０は消灯状態を保持する。
図５（ｂ）は「１」に対応した表示パターンを示す図である。「１」に対応した表示パターンは、累積点灯時間表示用ＬＥＤ２６０が短時間（１秒とする）だけ１回点灯する表示パターンであり、この表示パターンを所定時間（数秒間）間隔をおいて複数回繰り返す。
【００４６】
図５（ｃ）は「２」に対応した表示パターンを示す図である。「２」に対応した表示パターンは、点灯（１秒）、消灯（１秒）、点灯（１秒）というように断続的に２回の点灯を行う表示パターンであり、この表示パターンを所定時間（数秒間）間隔をおいて複数回繰り返す。
【００４７】
図５（ｄ）は「３」に対応した表示パターンを示す図である。「３」に対応した表示パターンは、点灯（１秒）、消灯（１秒）、点灯（１秒）、消灯（１秒）、点灯(１秒)というように断続的に３回の点灯を行う表示パターンであり、この表示パターンを所定時間（数秒間）間隔をおいて複数回繰り返す。
【００４８】
図５（ｅ）は「４」に対応した表示パターンを示す図である。「４」に対応した表示パターンは、点灯（１秒）、消灯（１秒）、点灯（１秒）、消灯（１秒）、点灯(１秒)、消灯(１秒)、点灯(１秒)というように断続的に４回の点灯を行う表示パターンであり、この表示パターンを所定時間（数秒間）間隔をおいて複数回繰り返す。
【００４９】
図５においては、「０」〜「４」に対応した表示パターンを示しているが、累積点灯時間表示用ＬＥＤ２６０は、「５」〜「９」においても、同様に、それぞれの数値に対応した表示パターンで点灯・消灯動作を行うが、これらの図示は省略する。
【００５０】
ここで、累積点灯時間表示モードにおける累積点灯時間表示用ＬＥＤ２６０の具体的な動作例について説明する。なお、ここでは、ランプ７１０が不点灯となったときの累積点灯時間が「１２４３時間」であった場合について説明する。まず、当該ランプ７１０が不点灯とったときの累積点灯時間を調べるための操作として、ユーザが「１０００」の位（４桁目）の桁位置指定キー２１１を操作したとする。
この場合の「１０００」の位（４桁目）における累積点灯時間の数値は「１」であるので、累積点灯時間表示用ＬＥＤ２６０は、図５（ｂ）に示す表示パターンで点滅動作を行う。これにより、ユーザは、累積点灯時間の「１０００」の位（４桁目）の数値は「１」であるということを把握する。
【００５１】
そして、次に、ユーザが「１００」の位（３桁目）の桁位置指定キー２１２を操作すると、この場合の「１００」の位（３桁目）における累積点灯時間の数値は「２」であるので、累積点灯時間表示用ＬＥＤ２６０は、図５（ｃ）に示す表示パターンで点滅動作を行う。これにより、ユーザは、累積点灯時間の「１００」の位（３桁目）の数値は「２」であるということを把握する。
【００５２】
続いて、ユーザが「１０」の位（２桁目）の桁位置指定キー２１３を操作すると、この場合の「１０」の位（２桁目）における累積点灯時間の数値は「４」であるので、累積点灯時間表示用ＬＥＤ２６０は、図５（ｅ）に示す表示パターンで点滅動作を行う。これにより、ユーザは、累積点灯時間の「１０」の位（２桁目）の数値は「４」であるということを把握する。
【００５３】
続いて、ユーザが「１」の位（１桁目）の桁位置指定キー２１４を操作すると、この場
合の「１」の位（１桁目）における累積点灯時間の数値は「３」であるので、累積点灯時間表示用ＬＥＤ２６０は、図５（ｄ）に示す表示パターンで点滅動作を行う。これにより、ユーザは、累積点灯時間の「１」の位（１桁目）の数値は「３」であるということを把握する。
【００５４】
ユーザは以上の操作を行うことにより、「１０００」の位（４桁目）は「１」、「１０００」の位（３桁目）は「２」、「１０」の位（２桁目）は「４」、「１」の位（１桁目）は「３」であることを把握し、結局、ユーザは、ランプ不点灯となったときの累積点灯時間は「１２４３時間」であることを知ることができる。
【００５５】
このように、ユーザは各桁位置ごとに当該桁位置を指定する桁位置指定キーを押した状態で、そのときの累積点灯時間表示用ＬＥＤ２６０の表示パターンによって当該桁の数値を把握することができるので、各桁位置ごとの数値を把握しやすく、ランプ不点灯となった時点の累積点灯時間を容易かつ確実に知ることができる。また、「０」〜「９」の数値のうち「１」〜「９」の数値においては、当該数値に対して設定された表示パターンは複数回繰り返されるので、当該桁位置の数値を見落とすことなく確実に把握することができる。
【００５６】
図６は、累積点灯時間表示モードにおける累積点灯時間表示用ＬＥＤ２６０の表示制御について説明するフローチャートである。なお、図６に示す累積点灯時間表示用ＬＥＤ２６０の表示制御は制御部４００が行う処理である。
【００５７】
まず、投写中にランプ不点灯が発生すると、制御部４００はランプ不点灯を検出し、累積点灯時間表示モードを設定し（ステップＳ１）、図２に示す操作パネル２００におけるランプエラーＬＥＤ２７０を点灯（連続点灯とする）させる（ステップＳ２）。
【００５８】
この状態で、ユーザにより電源スイッチ２２０がオフ操作されたか否かを判断し（ステップＳ３）、電源スイッチ２２０がオフ操作されていなければ、桁位置指定キー２１１〜２１４のうちのいずれかの桁位置指定キーがユーザによって操作されたか否かを監視する（ステップＳ４）。ここで、ユーザにより、いずれかの桁位置指定キーが操作されると、累積点灯時間記憶部３５０から累積点灯時間を読み出して(ステップＳ５)、指定された桁位置における累積点灯時間の数値（「０」〜「９」のいずれか）を取得し、取得した数値に対応する表示パターンとなるように累積点灯時間表示ＬＥＤ２６０を表示制御する（ステップＳ６）。
【００５９】
なお、ステップＳ６の処理は、例えば、ユーザによって指定された桁位置が「１０００」の位（４桁目）であるとすれば、現時点における累積点灯時間の４桁目の数値に対応する表示パターンとなるように累積点灯時間表示用ＬＥＤ２６０を表示制御する。前述した具体例（ランプ累積点灯時間が「１２４３時間」）の場合であれば、４桁目の数値「１」に対応する表示パターンは、図５（ｂ）に示すような表示パターンであり、これによって、累積点灯時間表示用ＬＥＤ２６０は、図５（ｂ）に示すような表示パターンとなる。
【００６０】
続いて、電源スイッチ２２０がオフ操作されたか否かを判断し（ステップＳ３）、電源スイッチ２２０がオフ操作されていなければ、いずれかの桁位置指定キーがユーザにより操作されたか否かを監視する（ステップＳ４）。例えば、指定された桁位置が「１００」の位（３桁目）の桁位置であるとすれば、累積点灯時間の３桁目の数値に対応する表示パターンとなるように累積点灯時間用ＬＥＤ２６０を表示制御する（ステップＳ５，Ｓ６）。前述した具体例（ランプ累積点灯時間が「１２４３時間」）の場合であれば、３桁目の数値「２」に対応する表示パターンは、図５（ｃ）に示すような表示パターンであり、これによって、累積点灯時間表示用ＬＥＤ２６０は、図５（ｃ）に示すような表示パターン
で点滅する。
【００６１】
続いて、電源スイッチ２２０がオフ操作されたか否かを判断し、電源スイッチ２２０がオフ操作されていなければ、いずれかの桁位置指定キーがユーザにより操作されたか否かを監視する処理（ステップＳ３，Ｓ４）を行い、上記同様に、ユーザによって指定された桁位置における累積点灯時間の数値に対応する表示パターンとなるように累積点灯時間表示用ＬＥＤ２６０を点灯・消灯制御する（ステップＳ５，Ｓ６）。このような操作を電源スイッチがオフ操作されるまで行う。
【００６２】
そして、ユーザによって電源スイッチ２２０がオフ操作されると、プロジェクタＰＪの電源部３３０をオフさせて（ステップＳ７）、処理を終了する。なお、ユーザは必ずしも４桁の全てに対応する時間を調べるとは限らず、１の位（１桁目）と１０の位（２桁目）は省略して、大雑把に１０００の位（４桁目）と１００の位（３桁）までの時間がわかればよいという場合もあり得る。この場合、上記した具体例（累積点灯時間が「１２４３」時間の場合）では、４桁目の時間（１０００時間）と３桁目の時間（２００時間）を知った時点で、ユーザは電源スイッチ２２０をオフ操作すればよい。電源スイッチ２２０がオフ操作されると、ステップＳ４以降の処理には進まず、電源部３３０をオフさせる処理（ステップＳ７）に進んで処理を終了する。
【００６３】
以上説明したように実施形態にかかるプロジェクタによれば、ユーザは各桁位置ごとに当該桁位置を指定する桁位置指定キーを押した状態で、そのときの累積点灯時間表示用ＬＥＤ２６０の表示パターンによって当該桁の数値を把握することができるので、各桁位置ごとの数値を把握しやすく、ランプ不点灯となった時点の累積点灯時間を容易かつ確実に知ることができる。
【００６４】
また、投写型画像表示装置がもともと有する機能設定キーや、機能表示用の発光素子をそのまま利用しているので、新たな部品を追加することなく、累積点灯時間の表示機能を実現することができる。
【００６５】
なお、本発明は上述の実施形態に限られるものではなく、本発明の要旨を逸脱しない範囲で種々変形実施可能となるものである。例えば、下記（１）〜（５）に示すような変形実施も可能である。
【００６６】
（１）上記実施形態においては、累積点灯時間の各桁位置における「０」〜「９」の数値のうち、「０」の数値に対応する表示パターンは、累積点灯時間表示用ＬＥＤ２６０が消灯状態を保持するようにしたが、点灯状態を保持するようにしてもよい。これは、ユーザがいずれかの桁位置指定キーを操作したとき、当該桁位置における累積点灯時間の数値が仮に「０」であった場合、累積点灯時間表示ＬＥＤ２６０が消灯状態のままであると、当該桁位置の累積点灯時間の数値が「０」であるのか、累積点灯時間表示ＬＥＤが何らかの不具合で点灯しないのかが区別しにくく、ユーザに不安感を与える可能性もあるからである。そこで、数値が「０」である場合には、累積点灯時間表示用ＬＥＤ２６０が点灯状態を保持するようにすれば、少なくとも、累積点灯時間表示ＬＥＤそのものに不具合はないと判断することができ、ユーザに不安感を与えることを防止することができる。
【００６７】
（２）上記実施形態においては、累積点灯時間表示用ＬＥＤ２６０としては、電源ＬＥＤ２６０を使用したが、電源ＬＥＤに限られるものではなく、一般的なプロジェクタに設けられている各種ＬＥＤのいずれかを累積点灯時間表示用ＬＥＤとして用いることができる。例えば、図２に示す操作パネルを例にした場合、ランプエラーＬＥＤ２７０を累積点灯時間表示用ＬＥＤとしてもよい。この場合、ランプ不点灯などランプ異常が発生した場合には、連続点灯とし、ランプ累積点灯時間を知らせる場合は、上記実施形態で説明した
ように、所定の表示パターンとすれば、ランプ異常の発生を知らせるための点灯であるか、累積点灯時間を表示するための点灯かを容易に区別することができる。
【００６８】
（３）また、累積点灯時間の表示手段としては、各桁位置指定キーそのものにＬＥＤを内蔵させて、ユーザによって所定の桁位置指定キーが操作された場合、当該桁位置指定キーに内蔵されたＬＥＤを当該桁位置における累積点灯時間の数値に対応した表示パターンとなるように表示制御作させるようにしてもよい。
【００６９】
例えば、ユーザが「１０００」の位（４桁目）を表す桁位置指定キーを操作した場合には、桁位置指定キーそのものが所定の表示パターンで表示を行う。具体的には、上記実施形態で説明したように、「１０００」の位（４桁目）の数値が「１」であれば、桁位置指定キーに内蔵されたＬＥＤが図５（ｂ）に示す表示パターンで表示を行う。他の桁位置指定キーが操作れた場合にも同様に、当該桁位置指定キーに内蔵されたＬＥＤが所定の表示パターンで表示を行う。
【００７０】
なお、この場合、複数個（４桁分であれば４個）のＬＥＤを新たに設ける必要があるが、４個程度のＬＥＤの追加であれば、プロジェクタのコストに大きな影響を与えるものではなく、また、これら４個のＬＥＤは、プロジェクタがもともと有する機能設定キーに内蔵されるので、部品の装着スペースにも大きな影響を与えることはない。
【００７１】
（４）上記実施形態では、プロジェクタを例にとって説明したが、プロジェクタを用いたプロジェクションテレビジョンにも適用できることは勿論である。
【００７２】
（５）本発明のプロジェクタは、光変調素子としては液晶を用いたものに限られるものではなく、デジタルミラーデバイスを用いたプロジェクタであってもよい。
【図面の簡単な説明】
【００７３】
【図１】実施形態に係るプロジェクタＰＪの外観を概略的に示す斜視図。
【図２】操作パネル２００の構成例を示す図。
【図３】実施形態１に係るプロジェクタＰＪの機能ブロック図。
【図４】図３に示す画像投写部７００の構成を示す図。
【図５】累積点灯時間表示用ＬＥＤ２６０の表示パターンを示す図。
【図６】累積点灯時間表示モードにおける累積点灯時間表示用ＬＥＤ２６０の表示制御について説明するフローチャート。
【符号の説明】
【００７４】
１００・・・投写レンズ、２００・・・操作パネル、２１０・・・機能設定操作部、２１１〜２１４・・・機能設定キー（桁位置指定キー）、２２０・・・電源スイッチ、２６０・・・電源ＬＥＤ（累積点灯時間表示用ＬＥＤ）、２７０・・・ランプエラーＬＥＤ、４００・・・制御部、７００・・・画像投写部、７１０・・・ランプ
【図１】
2010127957.tif 000003
【図２】
2010127957.tif 000004
【図３】
2010127957.tif 000005
【図４】
2010127957.tif 000006
【図６】
2010127957.tif 000007
【図５】
2010127957.tif 000008